(57)【特許請求の範囲】
【請求項１】
前方に延出する上下２本のフック材を有する略コ字状の商品陳列用フック材に該フック材の上方から脱着可能な商品陳列用前出し具において、前記上方フック材のコーナーに係合する前後方向に延びる下面開口で且つ上面が塞がれた係合溝を有する後方係合部と、前記後方係合部と待機状態において縮小状態にある弾性体を介して連結され、該２本のフック材に跨るための切り欠きを中央に有する押付け体と、一端が押付け体の切り欠きより上方に接続される前方に延出する前出し棒と、前記上方フック材に係合し前記前出し棒を遊嵌状態で支持する前方係合部とを備えることを特徴とする商品陳列用前出し具。
【請求項２】
前方に延出する上下２本のフック材を有する略コ字状の商品陳列用フック材に該フック材の上方から脱着可能な商品陳列用前出し具において、前記上方フック材のコーナーに係合する前後方向に延びる下面開口で且つ上面が塞がれた係合溝を有する後方係合部と、前方に延出する前出し棒の前後操作により前記後方係合部と前方係合部を連結する連接棒上を摺動する該２本のフック材に跨るための切り欠きを中央に有する押付け体と、一端が押付け体の切り欠きより上方に接続される前方に延出する前出し棒と、前記上方フック材に係合し前記前出し棒を遊嵌状態で支持する前方係合部とを備えることを特徴とする商品陳列用前出し具。
【請求項３】
前記押付け体が、前記後方係合部に弾性体を介して連結されたものである請求項２記載の商品陳列用前出し具
【請求項４】
前記前出し棒の前方端に商品表示具を設けた請求項１〜３のいずれか１項記載の商品陳列用前出し具。
【発明の詳細な説明】
【０００１】
【発明の属する技術分野】
本発明は、商品陳列用フックバーに取り付けられた既存のフック材に脱着可能な商品陳列用前出し具に関する。
【０００２】
【従来の技術】
従来、スーパーマーケットやドラッグストアーで用いられている商品陳列用フック材としては、図８（イ）に示すように、先方に延出されたフック材１５を上部に取り付けたフック係合部２０を商品陳列用フックバー３０に、係合可能に設置または固定したもの及び図８（ロ）に示すように前方に延出する上下２本のフック材１０を有する略コ字状の部材を同様の方法で設置又は固定したもの（以下、「上下ダブルフック材」という）挙げられる。該上下ダブルフック材１０は、下方のフック材１２に商品を吊り下げ、上方のフック材には、その先端部に商品表示具を設けたり、また、商品の前出し具を設けたりして利用されている。
【０００３】
しかしながら、前記上下ダブルフック材を利用した前出し具の場合、予め該上下ダブルフック材に固定されるように設置されており、前出し具専用の陳列具として製作されていた。このため、故障や取り替えが必要な時にはフック材又は商品陳列用フックバーの取り替えを必要としたり、当初の目的と異なり前出しを必要としないフック材として利用したい場合には、簡単に取り外しがきかないという問題があった。
【０００４】
【発明が解決しようとする課題】
従って、本発明の目的は、商品陳列用フックバーに取り付けられている既存の上下ダブルフック材を利用しこれに脱着可能な商品陳列用前出し具を提供するものである。
【０００５】
【課題を解決する手段】
かかる実情において、本発明者は鋭意検討を行った結果、本発明を完成するに至った。
すなわち、本発明の請求項１に記載の発明は、前方に延出する上下２本のフック材を有する略コ字状の商品陳列用フック材に該フック材の上方から脱着可能な商品陳列用前出し具において、前記上方フック材のコーナーに係合する前後方向に延びる下面開口で且つ上面が塞がれた係合溝を有する後方係合部と、前記後方係合部と待機状態において縮小状態にある弾性体を介して連結され、該２本のフック材に跨るための切り欠きを中央に有する押付け体と、一端が押付け体の切り欠きより上方に接続される前方に延出する前出し棒と、前記上方フック材に係合し前記前出し棒を遊嵌状態で支持する前方係合部とを備えることを特徴とする商品陳列用前出し具である。
【０００６】
本発明の請求項２記載の発明は、前方に延出する上下２本のフック材を有する略コ字状の商品陳列用フック材に該フック材の上方から脱着可能な商品陳列用前出し具において、前記上方フック材のコーナーに係合する前後方向に延びる下面開口で且つ上面が塞がれた係合溝を有する後方係合部と、前方に延出する前出し棒の前後操作により前記後方係合部と前方係合部を連結する連接棒上を摺動する該２本のフック材に跨るための切り欠きを中央に有する押付け体と、一端が押付け体の切り欠きより上方に接続される前方に延出する前出し棒と、前記上方フック材に係合し前記前出し棒を遊嵌状態で支持する前方係合部とを備えることを特徴とする商品陳列用前出し具である。
【０００７】
本発明の請求項３記載の発明は、前記押付け体が、前記後方係合部に弾性体を介して連結された商品陳列用前出し具である。
【０００８】
本発明の請求項４記載の発明は、更に、前記前出し棒の前方端に商品表示具を設けた商品陳列用前出し具である。
【０００９】
本発明においては、既存の商品陳列用フックバーに取り付けられている上下ダブルフック材にワンタッチで係合可能な構造としたため、所望のダブルフック材に前出し機能を付与することができる。また、故障や取り替えの必要があっても簡単に、しかもすばやく交換することができる
また、前出し棒の前方端に商品表示具を取り付けたため、前出しと商品表示の両方の機能が付与できる。
【００１０】
【発明の実施の形態】
（第１の実施の形態）
本発明の第１の実施の形態について、図１を参照して説明する。図１は本発明の第１の実施の形態における商品陳列用前出し具の斜視図である。
図１において、商品陳列用前出し具１は、上方フック材のコーナー１３に係合する後方係合部２、後方係合部２とスプリングバネ５を介して連結され、更に前方に延出する前出し棒３３を有する押付け体３及び上方フック材に係合し前出し棒３３を遊嵌状態で支持する前方係合部４を備える。
【００１１】
後方係合部２は、内部に上方フック材のコーナー１３に係合する係合溝２１１を形成した本体部２１、スプリングバネ５の一端を固定する固定部２２及びスプリングバネ収納筒２３からなる。後方係合部２のコーナー１３への係合は、後方係合部２をプラスチック製とし、係合溝２１１を断面の円周形状で２７０度程度の深さとすることで容易に脱着可能となる。
押付け体３は、上方中央に位置する３２でスプリングバネの他端を固定し、上方右側で前出し棒３３を固定する。
押付け体３の本体部３１は、装着時にフック材１１及び１２を跨ぐ構造とするため、中央部を切り欠いている（図６及び図７）。
【００１２】
前方係合部４は、内部に上方フック材１１に係合する係合溝４１１を形成した本体部４１及び前出し棒３３を遊嵌状態で支持する支持部４２とから成る。前方係合部４の上方フック材１１への係合は、前方係合部４をプラスチック製とし、係合溝４１１を断面円周形状で２７０度程度の深さとすることで容易に脱着可能となる。
前出し棒３３の前方部は、指でつまみ易い把持形状３４を形成している。
【００１３】
前記商品陳列用前出し具１は、まず既存の上下ダブルフック材１０に、前方係合部４及び後方係合部２を上方フック１１の所定の場所に取付ける。この時、スプリングバネ５はその付勢力により、収納筒２３に収納されている。次に下方フック材１０に吊り下げられた商品（図では省略）を前出しするには、指で前出し棒３３の把持部３４をつまみ、前方に移動させることにより容易に商品の前出しが可能となる。前出し後は、指をはずせば、スプリングバネ５の付勢力により押付け体３は元に戻り、商品を傷つけることなく陳列できる。
【００１４】
このような本実施の形態によれば、既存の商品陳列用フックバーに取り付けられている上下ダブルフック材にワンタッチで係合可能であり、所望のダブルフック材に前出し機能を付与することができる。また、故障や取り替えの必要があっても簡単に、しかもすばやく交換することができる。
【００１５】
（第２の実施の形態）
本発明の第２の実施の形態について、図２を参照して説明する。図２は本発明の第２の実施の形態における商品陳列用前出し具の斜視図である。図１と同一の構成要素には同一の符号を付してその説明を省略し、図１と異なる点について重点に述べる。
第２の実施の形態において、図１と異なる点は、図２から明らかなように、スプリングバネ５を使用しないこと及び連接棒６により後方係合部２と前方係合部４とを連結したことにある。
押付け体３と連接棒６は、３５で遊嵌状態にあり、前出し棒３３の前後操作により押付け体３は図中一点鎖線で示すように連接棒６に沿って摺動する。
【００１６】
前記商品陳列用前出し具１ａは、前述の第１の実施の形態と同様の方法で用いられるが、商品の前出し後は、指で連接棒３３を後方に押すこと又はそのままの状態とすることにより前出しを完了する。
このような本実施の形態によれば、前記第１の実施の形態と同様の作用効果を奏する他、押付け体の移動が連接棒６の案内によりスムーズに行なわれる。
【００１７】
（第３の実施の形態）
本発明の第３の実施の形態について、図３〜図７を参照して説明する。図３は本発明の第３の実施の形態における商品陳列用前出し具の斜視図である。
図４は図３の商品陳列用前出し具が上方フック材１１に装着された状態を示す正面図であり、図５は図４の一部が断面の図である。また、図６は図４中、Ｘ−Ｘ線に沿って見た図であり、図７は図４中、Ｙ−Ｙ線に沿って見た図である。図１と同一の構成要素には同一の符号を付してその説明を省略し、図１と異なる点について重点に述べる。
【００１８】
第３の実施の形態において、図１と異なる点は、図３から明らかなように、連接棒６により後方係合部２と前方係合部４とを連結したこと及び前出し棒３３の前方端に商品表示具７を設けたことにある。
商品表示具７は、カード挟持板７２、カード支持基板部７１及び連接部７３から成っている。カード挟持板７２は、カード支持基板部７１の前面にセットされるカード（図では省略）を挟持するもので、カード支持基板部７１の前面に重ね合わせ状態に配置される。このカード挟持板７２の下端縁は断面が略円弧状となる連接部７３を介してカード支持基板部７１の下端縁に一体に連接され、その上端縁はカードの差し込み及び抜き取りが可能なように開放されている。
【００１９】
前記商品陳列用前出し具１ｂは、前述の第１の実施の形態と同様の方法で用いられるが、商品の前出しが連接棒６の案内によって安定する他、前出し後は、スプリングバネ５の付勢力により自動的に元に戻される。また、前出し棒３３の前方端に商品表示具７を取り付けたため、前出し機能と商品表示機能の双方の機能が付与できる。
【００２０】
本発明において用いられる前記弾性体としては、前記スプリングバネの他、ゴム等も用いることができる。
また、前記前出し棒としては、棒材の他、糸状のものも使用できる。
【００２１】
【発明の効果】
本発明においては、既存の商品陳列用フックバーに取り付けられている上下ダブルフック材にワンタッチで係合可能な構造としたため、所望のダブルフック材に前出し機能を付与することができる。また、故障や取り替えの必要があっても簡単に、しかもすばやく交換することができる。
また、前出し棒の前方端に商品表示具を取り付けたため、前出しと商品表示の両方の機能が付与できる。
【図面の簡単な説明】
【図１】本発明の第１の実施の形態における商品陳列用前出し具の斜視図である。
【図２】本発明の第２の実施の形態における商品陳列用前出し具の斜視図である。
【図３】本発明の第３の実施の形態における商品陳列用前出し具の斜視図である。
【図４】図３の商品陳列用前出し具が上方フック材に装着された状態を示す正面図である。
【図５】図４の一部が断面の図である。
【図６】図４のＸ−Ｘ線に沿って見た図である。
【図７】図４のＹ−Ｙ線に沿って見た図である。
【図８】従来の商品陳列用フック材を示し、（イ）がフック材１本の場合、（ロ）が上下２本のフック材の場合を示す。
【符号の説明】
１  商品陳列用前出し具
２  後方係合部
３  押付け体
４  前方係合部
５  スプリングバネ
６  連接棒
７  商品表示具
１０  商品陳列用フック材
【図１】
0003881068.tif 000002
【図２】
0003881068.tif 000003
【図３】
0003881068.tif 000004
【図４】
0003881068.tif 000005
【図５】
0003881068.tif 000006
【図６】
0003881068.tif 000007
【図７】
0003881068.tif 000008
【図８】
0003881068.tif 000009